(57)【要約】【課題】原稿に付設された記憶媒体から無線通信により情報の読み出しが可能な通信端末装置において、原稿の誤送信を確実に防止することができるとともに、送信操作を簡略化することが可能な通信端末装置を提供する。さらに、このような通信端末装置に適した原稿を作成することが可能な画像記録装置を提供する。【解決手段】画像を読み取って画像データを取得した原稿に付設されたＲＦＩＤタグから、ＲＦリーダ６が無線通信により送信先情報を読み出した場合、送信先情報が示す送信先に送信する通信端末装置としてのＭＦＰ１００。画像が記録される記録用紙に付設されるＲＦＩＤタグに、ＲＦライタ１５が無線通信により送信先を示す送信先情報を書き込む画像記録装置としてのＭＦＰ１００。【選択図】図６
2007295428.tif 000002
【特許請求の範囲】
【請求項１】
原稿の画像を読み取り画像データを取得する画像データ取得手段と、
前記原稿に付設された記憶媒体から無線通信により情報を読み出す読出手段と、
前記画像データ取得手段が取得した画像データを送信する送信手段と、を備え、
前記読出手段が送信先情報を読み出した場合、前記送信手段は前記送信先情報が示す送信先に送信することを特徴とする通信端末装置。
【請求項２】
送信先を操作入力する操作入力手段を備え、
前記読出手段が送信先情報を読み出した場合、前記送信手段は前記送信先情報が示す送信先のみに送信することを特徴とする請求項１に記載の通信端末装置。
【請求項３】
送信先を操作入力する操作入力手段を備え、
前記送信手段は、前記読出手段が読み出した送信先情報が示す送信先、及び前記操作入力手段から操作入力された送信先に送信することを特徴とする請求項１に記載の通信端末装置。
【請求項４】
前記読出手段が送信禁止情報を読み出した場合、前記送信手段は送信しないことを特徴とする請求項１から３の何れか１項に記載の通信端末装置。
【請求項５】
前記送信先情報が、ファクシミリ番号又は電子メールアドレスであることを特徴とする請求項１から４の何れか１項に記載の通信端末装置。
【請求項６】
画像を記録用紙に記録する記録手段と、
書込情報を受け付ける受付手段と、
前記記録用紙に付設される記憶媒体に無線通信により前記受付手段が受け付けた書込情報を書き込む書込手段と、を備え、
前記受付手段が送信先を示す送信先情報を受け付けることを特徴とする画像記録装置。
【請求項７】
書込情報を操作入力する操作入力手段を備え、
前記操作入力手段から操作入力された書込情報を前記受付手段が受け付けることを特徴とする請求項６に記載の画像記録装置。
【請求項８】
前記送信先情報が、ファクシミリ番号又は電子メールアドレスであることを特徴とする請求項６又は７に記載の画像記録装置。
【発明の詳細な説明】
【技術分野】
【０００１】
本発明は、通信端末装置、詳しくは原稿に付設された記憶媒体から無線通信により情報の読み出しが可能な通信端末装置、及び、画像記録装置、詳しくは画像を記録した記録用紙に付設される記憶媒体に無線通信により情報の書き込みが可能な画像記録装置に関する。
【背景技術】
【０００２】
画像を記録した記録用紙に電子的に各種情報が書き込まれた記憶媒体を付設することにより、当該記録用紙に対する適正な利用や管理を記憶媒体から読み出した情報に基づき確実に行うことが可能となる。このような記憶媒体として、無線通信により情報が書き込み読み出されるＲＦＩＤ（Radio Frequency-Identification：電波方式認識）タグのＩＣチップを利用することが近年提案されている。
【０００３】
例えば、特許文献１に開示されている通信装置としてのＭＦＰ（多機能プリンタ）は、原稿のＲＦＩＤタグに当該原稿の画像を読み取って送信する送信ジョブの識別情報（送信ジョブＩＤ）を書き込み、送信結果を簡単かつ確実に確認できるようにしている。送信ジョブの識別情報は、送信ジョブの受付番号、送信先ファクシミリ番号、送信元ファクシミリ番号、受付日時又は送信日時などである。
【特許文献１】特開２００５−１５１３５７号公報
【発明の開示】
【発明が解決しようとする課題】
【０００４】
しかしながら、特許文献１に開示されているＭＦＰによれば、原稿の送信先はユーザが操作部から操作入力するので、ユーザが誤った送信先を操作入力した場合には、例え原稿が機密文書であっても、誤った送信先に送信されることを防止することができないという問題があった。さらに、ユーザが送信先を操作入力する必要があるので、送信操作が煩雑であるという問題があった。
【０００５】
本発明は、かかる課題に鑑みてなされたものであり、原稿に付設された記憶媒体から無線通信により情報の読み出しが可能な通信端末装置において、原稿の誤送信を確実に防止することができるとともに、送信操作を簡略化することが可能な通信端末装置を提供することを目的とする。さらに、このような通信端末装置に適した原稿を作成することが可能な画像記録装置を提供することを目的とする。
【課題を解決するための手段】
【０００６】
上記目的を達成するために、請求項１に記載の通信端末装置は、原稿の画像を読み取り画像データを取得する画像データ取得手段と、前記原稿に付設された記憶媒体から無線通信により情報を読み出す読出手段と、前記画像データ取得手段が取得した画像データを送信する送信手段と、を備え、前記読出手段が送信先情報を読み出した場合、前記送信手段は前記送信先情報が示す送信先に送信することを特徴としている。
【０００７】
請求項２に記載の通信端末装置は、請求項１に記載の通信端末装置において、送信先を操作入力する操作入力手段を備え、前記読出手段が送信先情報を読み出した場合、前記送信手段は前記送信先情報が示す送信先のみに送信することを特徴としている。
【０００８】
請求項３に記載の通信端末装置は、請求項１に記載の通信端末装置において、送信先を操作入力する操作入力手段を備え、前記送信手段は、前記読出手段が読み出した送信先情報が示す送信先、及び前記操作入力手段から操作入力された送信先に送信することを特徴としている。
【０００９】
請求項４に記載の通信端末装置は、請求項１から３の何れか１項に記載の通信端末装置において、前記読出手段が送信禁止情報を読み出した場合、前記送信手段は送信しないことを特徴としている。
【００１０】
請求項５に記載の通信端末装置は、請求項１から４の何れか１項に記載の通信端末装置において、前記送信先情報が、ファクシミリ番号又は電子メールアドレスであることを特徴としている。
【００１１】
請求項６に記載の画像記録装置は、画像を記録用紙に記録する記録手段と、書込情報を受け付ける受付手段と、前記記録用紙に付設される記憶媒体に無線通信により前記受付手段が受け付けた書込情報を書き込む書込手段と、を備え、前記受付手段が送信先を示す送信先情報を受け付けることを特徴としている。
【００１２】
請求項７に記載の画像記録装置は、請求項６に記載の画像記録装置において、書込情報を操作入力する操作入力手段を備え、前記操作入力手段から操作入力された書込情報を前記受付手段が受け付けることを特徴としている。
【００１３】
請求項８に記載の画像記録装置は、請求項６又は７に記載の画像記録装置において、前記送信先情報が、ファクシミリ番号又は電子メールアドレスであることを特徴としている。
【発明の効果】
【００１４】
請求項１に記載の通信端末装置によれば、読出手段が原稿に付設された記憶媒体から送信先情報を読み出した場合、送信先情報が示す送信先に、画像データ取得手段が取得した画像データを送信する。そのため、原稿に付設された記憶媒体に予め書き込まれた送信先情報が示す送信先に、当該原稿の画像を読み取って取得した画像データを自動的に送信することができるので、送信先情報が示す送信先に確実に送信することができ、誤送信による画像データの漏洩を防止し、セキュリティの強化を図ることが可能となる。また、原稿に付設された記憶媒体から送信先情報を読み出すので、すなわち記憶媒体に電子的に記憶された送信先情報を読み出すので、正確な送信先情報を確実に読み出すことができる。例えば、原稿中にトナー等の像形成材料により可視的に書き込まれた文字を文字認識して送信先情報を取得する場合には、認識間違いのない１００％の文字認識精度を実現することは非常に困難であり、文字の濃度によって文字認識精度が低下する可能性もあるという問題があるが、本通信端末装置によれば、原稿に付設された記憶媒体から送信先情報を読み出すので、間違いのない送信先情報を確実に取得することができる。また、ユーザが送信先を操作入力することなく送信することができるので、送信操作を簡略化することが可能となる。
【００１５】
請求項２に記載の通信端末装置によれば、操作入力手段から送信先が操作入力された場合であっても、読出手段が原稿に付設された記憶媒体から読み出した送信先情報が示す送信先のみに送信する。そのため、当該原稿の送信先が確実に限定され、送信先情報が示す送信先にのみ確実に送信することができ、誤った送信先に送信されることを防止することができる。よって、当該原稿の送信に関する管理を確実に行うことが可能となる。
【００１６】
請求項３に記載の通信端末装置によれば、読出手段が原稿に付設された記憶媒体から読み出した送信先情報が示す送信先、及び操作入力手段から操作入力された送信先に送信する。そのため、当該原稿の送信先が予め限定された送信先に限定されず、操作入力手段から操作入力した送信先にも送信することができる。よって、当該原稿の送信に関する管理を柔軟に行うことが可能となる。
【００１７】
請求項４に記載の通信端末装置によれば、読出手段が原稿に付設された記憶媒体から送信禁止情報を読み出した場合、送信しない。そのため、当該原稿の送信が確実に禁止され、不適切な送信を防止することができる。よって、当該原稿の送信に関する管理を確実に行うことが可能となる。
【００１８】
請求項５に記載の通信端末装置によれば、送信先情報がファクシミリ番号又は電子メールアドレスである。そのため、当該ファクシミリ番号や電子メールアドレスを送信先とするファクシミリ装置やインターネットファクシミリ装置等に送信することができるとともに、その送信に関する管理を確実に行うことが可能となる。
【００１９】
請求項６に記載の画像記録装置によれば、画像が記録される記録用紙に付設される記憶媒体に、書込情報として受付手段が受け付けた送信先を示す送信先情報を書込手段が無線通信により書き込む。そのため、画像が記録された記録用紙に送信先情報が書き込まれた記憶媒体が付設されることになる。よって、当該記録用紙を上記請求項１から５の何れか１項に記載の通信端末装置が原稿とすることにより、当該記録用紙を送信先情報が示す送信先に確実に送信することができ、誤送信による画像データの漏洩を防止し、セキュリティの強化を図ることが可能となる。また、ユーザが送信先を操作入力することなく当該記録用紙を送信することができるので、送信操作を簡略化することが可能となる。
【００２０】
請求項７に記載の画像記録装置によれば、画像が記録される記録用紙に付設される記憶媒体に書き込まれる書込情報を操作入力手段からの操作入力により受付手段が受け付ける。そのため、当該記録用紙の送信を含めた利用に関する情報等の書込情報を操作手段から任意に操作入力することができ、当該記録用紙に対する適切な利用等を確実に行わせることが可能となる。
【００２１】
請求項８に記載の画像記録装置によれば、送信先情報がファクシミリ番号又は電子メールアドレスである。そのため、当該ファクシミリ番号や電子メールアドレスを送信先とするファクシミリ装置やインターネットファクシミリ装置等に記録用紙に記録された画像から取得した画像データを送信することができるとともに、その送信に関する管理を確実に行うことが可能となる。
【発明を実施するための最良の形態】
【００２２】
以下、本発明の実施の形態に係る通信端末装置及び画像記録装置を装備するＭＦＰ（Multiple Functional Peripheral：多機能周辺機器）１００について、図面に基づき説明する。ＭＦＰ１００は、図１にそのブロック図を示すように、制御部（ＣＰＵ：Central Processing Unit）１、ＡＤＦ（Automatic Document Feeder：自動原稿給送装置）２、読取部３、ＲＦ（Radio Frequency）リーダ４、画像処理部５、コーデック（ＣＯＤＥＣ：Coder and Decoder）６、画像メモリ７、普通用紙供給部８、タグ用用紙供給部９、タグ付用紙供給部１０、記録部１１、タグ付設器１２、ＲＦライタ１３、操作部１４、表示部１５、ＲＯＭ（Read Only Memory）１６、ＲＡＭ（Random Access Memory）１７、モデム１８、ＮＣＵ（Network Control Unit）１９、及びＬＡＮ Ｉ／Ｆ（Local Area Network Interface）２０を備えたものであって、各部１乃至２０は、バス２１によって通信可能に接続されている。
【００２３】
このように構成されたＭＦＰ１００は、他の装置に画像データを送信する通信端末装置としての機能を備えている。具体的には、取得した原稿の画像データをＰＳＴＮ（Public Switched Telephone Network）３１を介して通信可能に接続されたファクシミリ装置３２に送信するファクシミリ送信機能、取得した原稿の画像データをインターネット３３を介して通信可能に接続されたインターネットファクシミリ装置３４に画像ファイルとして添付した電子メールを送信する電子メール送信機能を備えている。また、ＭＦＰ１００は、ファクシミリ装置３２から画像データを受信するファクシミリ受信機能、インターネットファクシミリ装置３４から画像データを画像ファイルとして添付された電子メールを受信する電子メール受信機能を備えている。
【００２４】
さらに、ＭＦＰ１００は、画像を記録用紙に記録する画像記録装置としての機能を備えている。具体的には、読取部３が読み取った原稿の画像を記録用紙に記録する複写（コピー）機能、ファクシミリ装置３２やインターネットファクシミリ装置３４から受信した画像データ、ＬＡＮ（Local Area Network）３５を介して通信可能に接続されたクライアントＰＣ３６から転送されてきた画像データに基づく画像を記録用紙に記録する印字（プリント）機能を備えている。
【００２５】
制御部１は、ＭＦＰ１００の各部の動作を制御する。
【００２６】
ＡＤＦ２は、ＭＦＰ１００の内部を示す図２を参照するように、ＦＢＳ（Flat Bed Scanner）として機能する原稿載置台１０１に開閉自在に枢支される原稿押えカバー１０２に装備されており、原稿トレイ１０３に載置された原稿を１枚ずつ搬送路に沿って搬送した後に原稿排紙トレイ１０４へ排出する。ＡＤＦ２は、原稿トレイ１０３の原稿を搬送路へ供給する給紙ローラ、搬送路へ供給された原稿を搬送する搬送ローラ、搬送路に沿って搬送された原稿を原稿排紙トレイ１０４へ排出する排紙ローラ等を具備している。また、図示しないが、原稿排紙トレイ１０４に原稿が載置されたか否かを検知する検知センサを備えている。
【００２７】
読取部３は、原稿の画像を読み取って画像データを取得するものであり、原稿へ光を照射する光源、原稿からの反射光を所定の方向へ導くための複数の反射ミラー、原稿からの反射光を収束する集光レンズ、収束光を電気信号に変換して出力するＣＣＤ（Charge Coupled Device）ラインセンサ等を具備して構成される縮小光学系のＣＣＤ読取ユニットとして原稿載置台１０１に内蔵されている。原稿載置台１０１の天面に配設されたプラテンガラス１０１ａに対して図示しない駆動機構により水平に往復移動する走査キャリッジ１０５に光源と一部の反射ミラーが配設されている。また、図示しないが、プラテンガラス１０１ａに原稿が載置されたか否かを検知する検知センサを備えている。
【００２８】
読取部３は、ＦＢＳとして原稿の画像を読み取るときには、走査キャリッジ１０５がプラテンガラス１０１ｂの下方に位置する待機位置（図２に示す位置）からプラテンガラス１０１ａに対して水平に移動しながらプラテンガラス１０１ａに載置された原稿を走査し、該原稿からの反射光をＣＣＤラインセンサへ導いて結像する。また、読取部３は、ＡＤＦ２によって搬送される原稿の画像を読み取るときには、走査キャリッジ１０５が待機位置において、読取位置Ｐを通過する原稿からの反射光をＣＣＤラインセンサへ導いて結像する。
【００２９】
ＲＦリーダ４は、ＲＦＩＤ（Radio Frequency-Identification：電波方式認識）タグから無線通信により情報を読み出すものであり、走査キャリッジ１０５に配設されている。ＲＦＩＤタグは、図示しないが、超小型のＩＣ（集積回路）チップと、無線通信用のコイル状のアンテナと、から構成されており、ＩＣチップは、記憶部（記憶媒体）、電源整流部、送信部、受信部等を備えている。ＲＦリーダ４が発振した電波をＲＦＩＤタグが受信すると、共振作用によりＲＦＩＤタグ内に起電力が発生し、ＲＦＩＤタグは、発生した起電力により予め記憶部に書き込まれた情報を発信する。ＲＦリーダ４は、このようにしてＲＦＩＤタグから発信された情報を受信することにより、記憶部から情報を読み出す。原稿に付設される際に当該原稿に関する情報が書き込まれたＲＦＩＤタグの記憶部からＲＦリーダ４が情報を読み出すことにより、当該原稿に関する情報を得ることができる。
【００３０】
ＲＦリーダ４は、ＦＢＳとして原稿の画像を読取部３が読み取るときには、プラテンガラス１０１ａに載置された原稿のＲＦＩＤタグから、プラテンガラス１０１ａに対して水平に移動する走査キャリッジ１０５にて情報を読み出す。また、ＡＤＦ２によって搬送される原稿の画像を読取部３が読み取るときには、読取位置Ｐを通過する原稿のＲＦＩＤタグから、待機位置に静止した走査キャリッジ１０５にて情報を読み出す。
【００３１】
ＲＦリーダ４は、原稿の幅方向のどの位置にＲＦＩＤタグが付設されていたとしても情報を読み出すことができるように、その通信範囲が予め設定されたものが使用されている。また、ＲＦリーダ４は、プラテンガラス１０１ａに載置された原稿又は読取位置Ｐを通過する原稿に付設されているＲＦＩＤタグからのみ情報を読み出すように、その通信範囲が原稿トレイ１０３や原稿排紙トレイ１０４に及ぶことがないようなものが使用される。ＲＦリーダ４は、原稿トレイ１０３や原稿排紙トレイ１０４に載置されている原稿のＲＦＩＤタグから情報を読み出すことはない。
【００３２】
画像処理部５は、読取部３が取得した原稿の画像データに対して画像処理を行う。具体的には、読取部３が原稿の画像を読み取って出力した画像データに対して、シェーディング補正、γ補正、拡大／縮小処理（画素データの補間処理又は間引処理）等の画像処理を必要に応じて行う。
【００３３】
コーデック６は、画像データを符号化（エンコード）・復号（デコード）する。ここでは、画像処理部５で画像処理が行われた原稿の画像データを符号化し、符号化されている画像データを復号する。なお、読取部３、画像処理部５及びコーデック６が画像データ取得手段として機能する。
【００３４】
画像メモリ７は、コーデック６において符号化された画像データ、画像処理部５から直接出力された画像データ、ファクシミリ受信した画像データなどの画像データを格納する。なお、画像メモリ７は、ファクシミリ装置３２から受信した画像データ、インターネットファクシミリ装置３４から受信した電子メールに画像ファイルとして添付された画像データ、クライアントＰＣ３６から転送されてきた画像データを格納することもできる。
【００３５】
普通用紙供給部８は、ＲＦＩＤタグが付設されるに適さない普通紙等の記録用紙（以下、「普通用紙」という。）を記録部１１に供給する。タグ用用紙供給部９は、ＲＦＩＤタグが付設されるに適しているがＲＦＩＤタグが付設されていない記録用紙（以下、「タグ用用紙」という。）を記録部１１に供給する。タグ付用紙供給部１０は、ＲＦＩＤタグが埋込（漉込）や付着等により付設されている記録用紙（以下、「タグ付用紙」という。）を記録部１１に供給する。
【００３６】
ＭＦＰ１００は、その内部を図２に示すように、所定サイズの記録用紙を収容可能な複数の給紙カセット１０６ａ〜１０６ｃを引出し可能に備えており、必要に応じて記録用紙を給紙カセット１０６ａ〜１０６ｃに装填できるようになっている。各給紙カセット１０６ａ〜１０６ｃに収容された記録用紙はピックアップローラによって繰り出され、一対の給紙ローラにニップされて記録部１１へ至る搬送路１０７に繰り込まれる。このような給紙カセット１０６ａ〜１０６ｃには、それぞれ所定サイズの普通用紙、タグ用用紙又はタグ付用紙が収容される。例えば、給紙カセット１０６ａにＡ４サイズの普通用紙が、給紙カセット１０６ｂにＡ４サイズのタグ用用紙が、給紙カセット１０６ｃにＡ４サイズのタグ付用紙がそれぞれ収容される。各給紙カセット１０６ａ〜１０６ｃから搬送路１０７に繰り込まれた記録用紙は、複数の搬送ローラ１０８によって搬送路１０７に沿って搬送され、記録部１１に供給される。搬送路１０７は、各給紙カセット１０６ａ〜１０６ｃの一端側から延設されて記録部１１に至り、更に排紙トレイ１０９へ通じるように形成されている。
【００３７】
このような内部構成を備えたＭＦＰ１００において、普通用紙供給部８は、普通用紙を収容する給紙カセット１０６ａ、給紙カセット１０６ａに付随するピックアップローラや給紙ローラ、及び搬送路１０７や搬送ローラ１０８の一部等からなる。普通用紙供給部８は、給紙カセット１０６ａから普通用紙を繰り出すことにより、記録部１１に所定サイズの普通用紙を供給する。タグ用用紙供給部９は、タグ用用紙を収容する給紙カセット１０６ｂ、給紙カセット１０６ｂに付随するピックアップローラや給紙ローラ、及び搬送路１０７や搬送ローラ１０８の一部等からなる。タグ用用紙供給部９は、給紙カセット１０６ｂからタグ用用紙を繰り出すことにより、記録部１１に所定サイズのタグ用用紙を供給する。一方、タグ付用紙供給部１０は、タグ付用紙を収容する給紙カセット１０６ｃ、給紙カセット１０６ｃに付随するピックアップローラや給紙ローラ、及び搬送路１０７や搬送ローラ１０８の一部等からなる。タグ付用紙供給部１０は、給紙カセット１０６ｃからタグ付用紙を繰り出すことにより、記録部１１に所定サイズのタグ付用紙を供給する。また、図示しないが、給紙カセット１０６ａ〜１０６ｃはそれぞれ記録用紙が収容されているか否かを検知する検知センサを備えている。
【００３８】
記録部１１は、画像メモリ７から読み出された画像データの画像を記録用紙に記録する。記録部１１は、普通用紙供給部８により供給される普通用紙、タグ用用紙供給部９により供給されるタグ用用紙、又はタグ付用紙供給部１０により供給されるタグ付用紙に画像を記録する。記録部１１は、図２に示すように、感光体ドラム１１０、該感光体ドラム１１０の周囲に配設された帯電デバイス、ＬＥＤヘッド、現像器、転写ローラ及びクリーニング器、感光体ドラム１１０の下流側の搬送路１０７に配設された定着器１１１等から構成されている。
【００３９】
感光体ドラム１１０は回転駆動し、その表面は、帯電デバイスにより一定電圧に帯電され、画像データに基づきＬＥＤヘッドにより選択的に露光されて、静電潜像が形成される。感光体ドラム１１０の表面上の静電潜像が現像器により現像され、トナー画像が形成される。感光体ドラム１１０の表面に形成されたトナー画像が転写ローラにより記録用紙へ転写される。感光体ドラム１１０の表面に残留したトナー等はクリーニング器により除去される。定着器１１１は、搬送路１０７を搬送される記録用紙に転写されたトナー画像を加熱及び加圧して定着させる。なお、記録部１１における記録方式としては、電子写真方式に限られず、インクジェット記録方式等の各種の記録方式を用いることも可能である。記録部１１にて画像が記録された記録用紙は、更に搬送路１０７に沿って排紙ローラ１１２まで搬送され、排紙トレイ１０９に排紙される。
【００４０】
タグ付設器１２は、ＲＦＩＤタグをタグ用用紙に付設する。ここでは、タグ付設器１２は、ＲＦＩＤタグが予め付設された紙片やフィルムに接着剤を塗布し記録部１１にて画像が記録された後のタグ用用紙に圧着して貼り付けるものであるが、ＲＦＩＤタグが予め付設された紙片やフィルムホッチキスを用いて固定する等、付設方法は限定されない。また、図示しないが、ＲＦＩＤタグが残存しているか否かを検知する検知センサを備えている。
【００４１】
ＲＦライタ１３は、記録用紙に付設されたＲＦＩＤタグの記録部に無線通信により情報を書き込む。ＲＦライタ１３が発振した電波をＲＦＩＤタグが受信すると、共振作用によりＲＦＩＤタグ内に起電力が発生し、ＲＦＩＤタグは、発生した起電力により受信した情報を記憶部に書き込む。ＲＦライタ１３は、記録部１１により画像が記録されたタグ付用紙のＲＦＩＤタグ、又は記録部１１により画像が記録されたタグ用用紙にＲＦ付設器１２により付設されたＲＦＩＤタグの記録部に、無線通信によりＲＡＭ１７に格納されている書込情報を書き込む。
【００４２】
操作部１４は、原稿の画像読み取り、複写等の画像記録、送信などの開始を指示するためのスタートキー、複写枚数や送信先番号等を入力するためのテンキー、各種設定や送信先アドレス等を入力するためのカーソルキーやボタンキーなど、表示部１５と連動した各種操作キーを備えている。操作部１４と制御部１の一部が、送信動作や記録動作等の開始指示、読取設定、書込情報を受け付ける受付手段として機能する。
【００４３】
表示部１５は、各種の表示画面やＭＦＰ１００の動作状態などを文字や図形などで表示するＬＣＤ（Liquid Crystal Display：液晶表示装置）などを備えている。なお、ＬＣＤは、タッチパネル式のものであり、操作部１４に代えてこのＬＣＤの画面をユーザが指等により触れることにより各種の操作入力を行うこともできる。
【００４４】
ＲＯＭ１６は、制御部１によりＭＦＰ１００の各部の動作が制御されるための各種プログラムを格納している。
【００４５】
ＲＡＭ１７は、制御部１の主メモリ、ワークエリア等として機能するものであり、受信した画像データに関する各種データ、ＭＦＰ１００の各部の処理動作に用いる設定情報や動作情報等の各種データを読み出し及び書き込み可能な状態で格納している。ＲＡＭ１７が格納している設定情報には、タグ付設設定情報、送信先書込設定情報、タグ読取設定情報、及び送信先限定情報が含まれる。タグ付設設定情報は、画像を記録した記録用紙にＲＦＩＤタグが付設されるタグ付設設定を設定するか否かを示す情報である。送信先書込設定情報は、画像を記録した記録用紙に付設されるＲＦＩＤタグに送信先を示す情報を書込情報として書き込む送信先書込設定を設定するか否かを示す情報である。タグ読取設定情報は、画像を読み取る原稿に付設されているＲＦＩＤタグから情報を読み出すか否かを示す情報である。送信先限定設定情報は、原稿の画像を読み取って取得した画像データを送信先情報が示す送信先以外に送信することを許容するか否かを示す情報である。ＲＡＭ１７が格納している設定情報は、ユーザが操作部１４から入力することにより、又はクライアントＰＣ３６から入力されることにより変更が可能である。ＲＡＭ１７に格納されている設定情報を読み出すことにより、何れの設定が設定されているか否かが判断される。
【００４６】
また、ＲＡＭ１７には、ＲＦリーダ４が読み出した情報や、ＲＦライタ１３が書き込むべき書込情報が格納される。ＲＡＭ１７が格納している書込情報は、当該書込情報が書き込まれたＲＦＩＤタグが付設される記録用紙に関する情報であり、送信禁止情報、送信先情報、送信特定情報が含まれる。送信禁止情報は、記録用紙に記録された画像を読み取って取得した画像データの送信を禁止することを示す情報である。送信先情報は、記録用紙に記録された画像を読み取って取得した画像データの送信先を示す情報であり、具体的には、ファクシミリ番号や電子メールアドレスである。送信先限定情報は、当該原稿の画像を読み取って取得した画像データを送信先情報が示す送信先以外に送信することを許容するか否かを示す情報である。また、書込情報には、原稿の利用が特定される旨を示す利用特定情報（複写禁止、社外秘等）、原稿を読み取る際の読取モード、原稿名、原稿の作成元に係る情報（例えば、会社名、部署名、作成者名等）などの情報も含まれる。ＲＡＭ１７が格納している書込情報は、ユーザが操作部１４から入力することにより、又はクライアントＰＣ３６から入力されることにより変更が可能である。
【００４７】
モデム１８は、例えばＩＴＵ−Ｔ（国際電気通信連合電気通信標準化部門）の勧告Ｖ．３４規格又はこれと同様のものに従った送受信データの変調及び復調を行う。ＮＣＵ１９は、電話回線を制御して電話をかけたり切ったりする回線網制御装置であり、ＰＳＴＮ３１を介して、ファクシミリ装置３２と通信可能に接続されている。
【００４８】
ＬＡＮ Ｉ／Ｆ２０は、ＬＡＮ３５とＭＦＰ１００とを通信可能に接続する。このＬＡＮ３５には、メールサーバ３７とルータ３８が接続されるとともに、ルータ３８及びインターネット３３を介してインターネットファクシミリ装置３４が接続されている。また、ＬＡＮ３５には、複数台のクライアントＰＣ３６が接続されており、クライアントＰＣ３６からＭＦＰ１００が有する各種機能を利用することができるようになっている。このクライアントＰＣ３６は、画像データを視認可能に表示する表示部及び情報を操作入力する操作部を備える。なお、制御部１の一部、モデム１８、ＮＣＵ１９及びＬＡＮ Ｉ／Ｆ２０が送信手段として機能する。
【００４９】
以下、画像を記録する場合に、ＭＦＰ１００において行われる処理動作について、図３及び図４に示すフローチャートに基づいて説明する。なお、以下のフローチャートに基づいて説明するＭＦＰ１００の処理動作は、ＲＯＭ１６に格納されているプログラムに基づいて制御部１が発行する命令に従って行われる。
【００５０】
まず、画像の記録を開始する指示があったか否かを判断する（Ｓ１）。具体的には、プラテンガラス１０１ａ又は原稿トレイ１０３に原稿が載置されたことを前記検知センサが検知し、かつ操作部１４にて複写が設定されてスタートキーが押下された場合、ファクシミリ装置３２又はインターネットファクシミリ装置３４から画像データを受信した場合、クライアントＰＣ３６から画像を記録すべきジョブが転送されてきた場合等に、画像の記録を開始する指示があったと判断する。ここで、画像の記録を開始する指示がないと判断した場合（Ｓ１：ＮＯ）、待機状態となる。画像の記録を開始する指示があったと判断した場合（Ｓ１：ＹＥＳ）、タグ付設設定が設定されているか否かを判断する（Ｓ２）。
【００５１】
タグ付設設定が設定されていると判断した場合（Ｓ２：ＹＥＳ）、送信先書込設定が設定されているか否かを判断する（Ｓ３）。ここで、送信先書込設定が設定されていると判断した場合（Ｓ３：ＹＥＳ）、送信先の操作入力を促す旨を表示部１５に表示する（Ｓ４）。具体的には、表示部１５のＬＣＤに「送信先を入力して下さい」など、送信先の操作入力をユーザに促すメッセージを表示する。なお、クライアントＰＣ３６から転送されてきたジョブを処理する際には、当該クライアントＰＣ３６の表示部に操作部から送信先の操作入力を促す旨を表示してもよい。また、図示しないスピーカ等により警告音を発生させてもよい。送信先が操作入力された場合（Ｓ５：ＹＥＳ）、操作入力された情報を送信先情報としてＲＡＭ１７に格納する（Ｓ６）。なお、クライアントＰＣ３６から転送されてきたジョブや、インターネットファクシミリ装置３４から受信した電子メールのヘッダ等に送信先情報が含まれる場合には、この送信先情報を抽出してＲＡＭ１７に格納してもよい。
【００５２】
次いで（Ｓ３：ＮＯ後、又はＳ６後）、タグ付用紙が残存しているか否かを判断する（Ｓ７）。具体的には、給紙カセット１０６ｃに記録用紙が収容されているか否かを給紙カセット１０６ｃに備わる前記検知センサにより検知する。ここで、タグ付用紙が残存してないと判断した場合（Ｓ７：ＮＯ）、タグ用用紙及びＲＦＩＤタグが残存しているか否かを判断する（Ｓ８）。具体的には、給紙カセット１０６ｂに記録用紙が収容されているか否かを給紙カセット１０６ｂに備わる前記検知センサにより、ＲＦＩＤタグが残存しているか否かをタグ付設器１２に備わる前記検知センサにより、それぞれ検知する。ここで、タグ用用紙及びＲＦＩＤタグが残存していた判断した場合（Ｓ８：ＹＥＳ）、タグ用用紙供給部９はタグ用用紙を記録部１１に向けて供給する（Ｓ９）。そして、記録部１１は画像メモリ７から読み出した画像データに基づく画像をタグ用用紙に記録する（Ｓ１０）。具体的には、プラテンガラス１０１ａ又は原稿トレイ１０３に載置された原稿を複写する場合には、当該原稿の画像を読取部３により読み取り画像処理部５により画像処理し画像メモリ７に格納した画像データを、ファクシミリ装置３２やインターネットファクシミリ装置３４から受信した画像データ、及びクライアントＰＣ３６から転送されてきた画像ファイルとしての画像データに基づく画像を記録する場合には、これら画像データをコーデック６により復号し画像メモリ７に格納した画像データを、画像メモリ７から読み出してタグ用用紙に画像を記録する。そして、タグ付設器１２は画像が記録されたタグ用用紙にＲＦＩＤタグを付設し（Ｓ１１）、ＲＦライタ１３はタグ用用紙に付設されたＲＦＩＤタグに書込情報を書き込み（Ｓ１２）、排紙トレイ１０９に排紙して終了する。ＲＦライタ１３はＲＡＭ１７に格納されている書込情報を読み出してＲＦＩＤタグに書き込む。書込情報に送信先情報が含まれている場合、すなわちＳ６において送信先情報をＲＡＭ１７に格納した場合、この送信先情報もＲＦＩＤタグに書き込む。
【００５３】
他方、タグ付用紙が残存している判断した場合（Ｓ７：ＹＥＳ）、タグ付用紙供給部１０はタグ付用用紙を記録部１１に向けて供給する（Ｓ１３）。そして、Ｓ９と同様に、記録部１１は画像メモリ７から読み出した画像データに基づく画像をタグ付用紙に記録する（Ｓ１４）。そして、ＲＦライタ１３はタグ付用紙のＲＦＩＤタグに書込情報を書き込み（Ｓ１２）、排紙トレイ１０９に排紙して終了する。
【００５４】
一方、タグ用用紙及びＲＦＩＤタグが残存していない判断した場合（Ｓ８：ＮＯ）、画像が記録される記録用紙にＲＦＩＤタグを付設することができない旨を表示部１５に表示する（Ｓ１５）。具体的には、表示部１５のＬＣＤに「記録用紙にタグを付することができません」など、画像が記録される記録用紙にＲＦＩＤタグを付設することができない旨をユーザに通知するメッセージを表示する。なお、クライアントＰＣ３６から転送されてきたジョブを処理する際には、当該クライアントＰＣ３６の表示部にその旨を表示してもよい。また、図示しないスピーカ等により警告音を発生させてもよい。次に、普通用紙供給部８は普通用紙を記録部１１に向けて供給する（Ｓ１６）。そして、Ｓ９と同様に、記録部１１は画像メモリ７から読み出した画像データに基づく画像を普通用紙に記録し（Ｓ１７）、排紙トレイ１０９に排紙して終了する。
【００５５】
他方、タグ付設設定が設定されていないと判断した場合（Ｓ２：ＮＯ）、普通用紙供給部８は普通用紙を記録部１１に向けて供給する（Ｓ１６）。そして、Ｓ９と同様に、記録部１１は画像メモリ７から読み出した画像データに基づく画像を普通用紙に記録し（Ｓ１７）、排紙トレイ１０９に排紙して終了する。
【００５６】
以下、原稿の画像を読み取って取得した画像データを送信する場合に、ＭＦＰ１００において行われる処理動作について、図５及び図６に示すフローチャートに基づいて説明する。なお、以下のフローチャートに基づいて説明するＭＦＰ１００の処理動作は、ＲＯＭ１６に格納されているプログラムに基づいて制御部１が発行する命令に従って行われる。
【００５７】
まず、送信を開始する指示があったか否かを判断する（Ｓ２１）。具体的には、プラテンガラス１０１ａ又は原稿トレイ１０３に原稿が載置されたことを前記検知センサが検知し、かつ操作部１４にて送信が設定されてスタートキーが押下された場合等に、送信を開始する指示があったと判断する。ここで、送信を開始する指示がないと判断した場合（Ｓ２１：ＮＯ）、待機状態となる。逆に、送信を開始する指示があったと判断した場合（Ｓ２１：ＹＥＳ）、タグ読取設定が設定されているか否かを判断する（Ｓ２２）。
【００５８】
タグ読取設定が設定されていないと判断した場合（Ｓ２２：ＮＯ）、原稿の画像を読み取り（Ｓ２３）、取得した画像データを操作部１４から操作入力された送信先に送信する（Ｓ２４）。具体的には、Ｓ２１にて送信を開始する指示があったと判断される前に既に操作部１４から操作入力されていた送信先に送信する。その後、終了する。
【００５９】
タグ読取設定が設定されていると判断した場合（Ｓ２２：ＹＥＳ）、読取部３は原稿の画像読み取りを開始する（Ｓ２５）。このとき、ＲＦリーダ４は原稿にＲＦＩＤタグが付設されているか否かを検出する（Ｓ２６）。ＲＦＩＤタグを検出しなかった場合（Ｓ２６：ＮＯ）、読み取って取得した画像データを操作部１４から操作入力された送信先に送信し（Ｓ２４）、終了する。
【００６０】
ＲＦＩＤタグを検出した場合（Ｓ２６：ＹＳＥ）、ＲＦリーダ４はＲＦＩＤタグの記憶部に格納されている書込情報を読み出す（Ｓ２７）。そして、読み出した書込情報に送信禁止情報が含まれているか否かを判断する（Ｓ２８）。読み出した書込情報に送信禁止情報が含まれていると判断した場合（Ｓ２８：ＹＥＳ）、原稿の画像を送信することが禁止されている旨を表示部１５に表示し（Ｓ２９）、終了する。具体的には、表示部１５のＬＣＤに「原稿の送信は禁止されています」など、ユーザに原稿を送信できない旨のメッセージを表示する。また、図示しないスピーカ等により警告音を発生させてもよい。
【００６１】
一方、読み出した書込情報に送信禁止情報が含まれていないと判断した場合（Ｓ２８：ＮＯ）、読み出した書込情報に送信先情報が含まれているか否かを判断する（Ｓ３０）。書込情報に送信先情報が含まれていると判断した場合（Ｓ３０：ＹＥＳ）、送信先限定設定が設定されるか否かを判断する（Ｓ３１）。具体的には、ＲＡＭ１７から読み出した送信先限定設定情報、又は書込情報に含まれる送信先限定情報が、送信先限定設定を設定すべき旨を示す場合に、送信先限定設定が設定されると判断する。送信先限定設定が設定されると判断した場合（Ｓ３１：ＹＥＳ）、書込情報に含まれていた送信先情報が示す送信先に取得した画像データを送信し（Ｓ３２）、終了する。
【００６２】
送信先限定設定が設定されないと判断した場合（Ｓ３１：ＮＯ）、送信先を追加するか否かをユーザに確認する旨を表示部１５に表示する（Ｓ３３）。具体的には、表示部１５のＬＣＤに「ＸＸＸＸＸＸに送信しますが、送信先を追加しますか。追加する場合には、送信先を入力して下さい。」など、書込情報に含まれる送信先情報が示す送信先ＸＸＸＸＸＸ以外にユーザが所望する送信先がある場合には、送信先を操作部１４に操作入力することを促す旨のメッセージを表示する。また、図示しないスピーカ等により警告音を発生させてもよい。そして、送信先が操作部１４から追加入力された場合（Ｓ３４：ＹＥＳ）、書込情報に含まれていた送信先情報が示す送信先及び操作部１４から操作入力された送信先に取得した画像データを送信し（Ｓ３５）、終了する。なお、ここで、書込情報に送信先情報が含まれていないと判断していた場合（Ｓ３０：ＮＯ）には、操作部１４から操作入力された送信先のみに取得した画像データを送信する。一方、送信先が操作部１４から入力されなかった場合（Ｓ３４：ＮＯ）、書込情報に含まれていた送信先情報が示す送信先に取得した画像データを送信し（Ｓ３２）、終了する。なお、Ｓ３２又はＳ３５においては、既に操作部１４から送信先が操作入力されている場合、例えば、Ｓ２１にて送信を開始する指示があったと判断される前に操作部１４から送信先が操作入力されていた場合、当該送信先にも送信する。
【００６３】
以上説明したように、このＭＦＰ１００によれば、ＲＦリーダ６が原稿に付設されたＲＦＩＤタグから送信先情報を読み出した場合、当該原稿の画像を読み取って取得した画像データを送信先情報が示す送信先に自動的に送信することができる。そのため、送信先情報が示す送信先に確実に送信することができ、誤送信による画像データの漏洩を防止し、セキュリティの強化を図ることが可能となる。また、ユーザが送信先を操作入力することなく送信することができるので、送信操作が簡略化する。
【００６４】
また、このＭＦＰ１００によれば、ユーザが操作部１４から送信先を操作入力した場合であっても、送信先限定設定が設定されているときには、ＲＦリーダ６が原稿に付設されたＲＦＩＤタグから読み出した送信先情報が示す送信先のみに送信する。そのため、当該原稿の送信先が確実に特定され、送信先情報が示す送信先にのみ確実に送信することができ、誤った送信先に送信されることを防止することができる。よって、当該原稿の送信に関する管理を確実に行うことが可能となる。
【００６５】
また、このＭＦＰ１００によれば、送信先限定設定が設定されていないときには、ＲＦＩＤリーダ６が原稿に付設されたＲＦＩＤタグから読み出した送信先情報が示す送信先、及びユーザが操作部１４から操作入力した送信先に送信する。そのため、当該原稿の送信先が予め限定された送信先に限定されず、操作部１４から操作入力した送信先にも送信することができる。よって、当該原稿の送信に関する管理を柔軟に行うことが可能となる。
【００６６】
また、このＭＦＰ１００によれば、ＲＦリーダ６が原稿に付設されたＲＦＩＤタグから送信禁止情報を読み出した場合、送信しない。そのため、当該原稿の送信が確実に禁止され、不適切な送信を防止することができる。よって、当該原稿の送信に関する管理を確実に行うことが可能となる。
【００６７】
また、このＭＦＰ１００によれば、画像が記録される記録用紙に付設されるＲＦＩＤタグに、送信先を示す送信先情報をＲＦライタ１３が無線通信により書き込む。よって、当該記録用紙を原稿としてＭＦＰ１００を用いて送信することとすれば、当該記録用紙を送信先情報が示す送信先に確実に送信することができ、誤送信による画像データの漏洩を防止し、セキュリティの強化を図ることが可能となる。また、ユーザが送信先を操作入力することなく当該記録用紙を送信することができるので、送信操作が簡略化する。
【００６８】
また、このＭＦＰ１００によれば、画像が記録される記録用紙に付設されるＲＦＩＤタグに書き込まれる書込情報が操作部１４から操作入力されうる。そのため、当該記録用紙の送信を含めた利用に関する情報等の書込情報を操作部１４からユーザが任意に操作入力することができ、当該記録用紙に対する適切な利用等を確実に行わせることが可能となる。
【００６９】
また、このＭＦＰ１００によれば、記録用紙に画像を記録して一旦排出し、この記録用紙に手書きの署名を付してから送信するとき、当該記録用紙のＲＦＩＤタグに予め送信先の送信先情報を書き込むことにより、誤送信を確実に防止することが可能となる。また、この場合、ユーザは操作部１４にて送信の設定を行ってスタートボタンを押下することのみによって送信することができ、操作部１４から送信先を操作入力する必要がない。
【００７０】
また、クライアントＰＣ３６にて原稿を作成する場合、例えば、送信先のファクシミリ番号を原稿に記載した場合、このファクシミリ番号をコピーして送信先情報として入力するだけで送信先を設定することができ、当該原稿の送信先を容易に確実に特定することが可能となる。
【００７１】
なお、本実施の形態で示したＭＦＰ１００の構成は、本発明に係る通信端末装置及び画像記録装置の一態様にすぎず、本発明の要旨を逸脱しない範囲内で種々の変形実施が可能である。例えば、普通用紙供給部８、タグ用用紙供給部９及びタグ付用紙供給部１０の３つの用紙供給部を備えている場合の例を示したが、タグ用用紙供給部９、タグ付用紙供給部１０の何れかを少なくとも備えていればよい。
【００７２】
また、画像が記録された後の記録用紙に付設されているＲＦＩＤタグに書込情報を書き込む場合の例を示したが、画像が記録される前の記録用紙に付設されているＲＦＩＤタグに書込情報を書き込むものであってもよい。また、記録用紙に付設された後のＲＦＩＤタグに書込情報を書き込む場合の例を示したが、記録用紙に付設される前のＲＦＩＤタグに書込情報を書き込むものであってもよい。また、画像が記録された後の記録用紙にＲＦＩＤタグを付設する場合の例を示したが、画像が記録される前の記録用紙にＲＦＩＤタグを付設するものであってもよい。
【００７３】
さらに、実施の形態では、通信端末装置及び画像記録装置をＭＦＰ１００として実施した態様を説明したが、通信端末装置や画像記録装置はＭＦＰ１００に限定されず、複写機、ファクシミリ機、スキャナ、及びこれらの複合機に適用可能である。また、通信端末装置としてのみ、又は画像記録装置としてのみ機能するものであってもよい。
【図面の簡単な説明】
【００７４】
【図１】本発明の実施の形態に係るＭＦＰ１００の構成例を示したブロック図である。
【図２】ＭＦＰ１００の内部について説明するための概略断面図である。
【図３】画像を記録する場合に、ＭＦＰ１００において行われる処理動作を示すフローチャートである。
【図４】画像を記録する場合に、ＭＦＰ１００において行われる処理動作を示すフローチャートである。
【図５】原稿の画像を読み取って取得した画像データを送信する場合に、ＭＦＰ１００において行われる処理動作を示すフローチャートである。
【図６】原稿の画像を読み取って取得した画像データを送信する場合に、ＭＦＰ１００において行われる処理動作を示すフローチャートである。
【符号の説明】
【００７５】
１  制御部（送信手段）
３  読取部（画像データ取得手段）
４  ＲＦリーダ（読出手段）
５  画像処理部（画像データ取得手段）
６  コーデック（画像データ取得手段）
７  画像メモリ
８  普通用紙供給部
９  タグ用用紙供給部
１０  タグ付用紙供給部
１１  記録部（記録手段）
１２  タグ付設器
１３  ＲＦライタ（書込手段）
１４  操作部（操作入力手段、受付手段）
１５  表示部
１６  ＲＯＭ
１７  ＲＡＭ
１８  モデム（送信手段）
１９  ＮＣＵ（送信手段）
２０  ＬＡＮ Ｉ／Ｆ（送信手段）
１００  ＭＦＰ（通信端末装置、画像記録装置）
【図１】
2007295428.tif 000003
【図２】
2007295428.tif 000004
【図３】
2007295428.tif 000005
【図４】
2007295428.tif 000006
【図５】
2007295428.tif 000007
【図６】
2007295428.tif 000008